(57)【特許請求の範囲】
【請求項１】
上下動する水平ガイド部材に沿って水平方向に移動固定自在に位置決めされる多数のドリルヘッドが、該水平ガイド部材に平行な回転軸に各個に摺動自在に案内され、該回転軸の回転力を一対の傘歯車を介してドリルスピンドルに伝達して成る多軸ドリル構造において、
前記回転軸の一部が、少なくとも一個のドリルヘッドの幅より長尺な長さであって、手前側へ引抜きできる形状で分断された短尺軸で接合分離自在に連結されて成り、各個のドリルヘッドが、水平ガイド部材の外方垂直面に横向きで埋設されたキーに対して水平に出入自在に係合されるとともに、ドリルヘッドに対してＬ形の垂直辺を対向して螺着される上下の止め金の該垂直辺に螺合するボルトで、該水平ガイド部材に移動固定自在に位置決めされて成る多軸ドリル構造。
【発明の詳細な説明】
【技術分野】
【０００１】
本発明は、主として暗渠排水用の塩ビ管の穴開け機における多軸ドリル構造に関する。
【背景技術】
【０００２】
多軸ドリルによる穴開け技術として提案されている実開昭６１−９８００３号公報（特許文献１）は、多軸ドリルヘッドが各個に独立して突出できるドリルスピンドルから構成され、必要な穴開け個所に対応するドリルスピンドルを突出状態にロックし、該ドリルスピンドルに装着したドリルで多軸ドリルヘッドを木工材料側に前進させて穴開けするものである。
したがって、穴開け個所は各配列ドリルの配設ピッチで決まり、配設ピッチは変更できないものであるから穴開け自由度が狭い。
特開昭５４−２８０８８号公報（特許文献２）に提案されている技術は、水平方向に伸縮する多段のパンタグラフの枢着点をスライドアームにドリル主軸を介して枢着し、多数のドリルアームに設けたドリル主軸にドリルを装着して同一ピッチの穴を多数穿孔するので機構が複雑となる上、区々のピッチにドリル主軸を整列できない。
【特許文献１】実開昭６１−９８００３号公報
【特許文献２】特開昭５４−２８０８８号公報
【発明の開示】
【発明が解決しようとする課題】
【０００３】
本発明は上記に鑑みて、ドリルヘッドの幅及びそれ以上の穴開けピッチに区々に対応でき、その穴開けピッチ変更時のドリルヘッドの配列作業の簡易な多軸ドリル構造を提供しようとする。
【課題を解決するための手段】
【０００４】
本発明の請求項１に記載した多軸ドリル構造は、上下動する水平ガイド部材に沿って水平方向に移動固定自在に位置決めされる多数のドリルヘッドが、該水平ガイド部材に平行な回転軸に各個に摺動自在に案内され、該回転軸の回転力を一対の傘歯車を介してドリルスピンドルに伝達して成る多軸ドリル構造において、
前記回転軸の一部が、少なくとも一個のドリルヘッドの幅より長尺な長さであって、手前側へ引抜きできる形状で分断された短尺軸で接合分離自在に連結され成り、各個のドリルヘッドが、水平ガイド部材の外方垂直面に横向きで埋設されたキーに対して水平に出入自在に係合されるとともに、ドリルヘッドに対してＬ形の垂直辺を対向して螺着される上下の止め金の該垂直辺に螺合するボルトで、該水平ガイド部材に移動固定自在に位置決めされて成る。
【発明の効果】
【０００５】
本発明の多軸ドリル構造によれば、多数のドリルヘッドの各個のドリルスピンドルに回転力を伝達する回転軸の一部が、少なくとも一個のドリルヘッドの幅より広い間隔で接合分離自在に連結されるから、穴開けピッチの変更時にはその部分から短尺軸が外され、その分離個所から不要な或いは必要なドリルヘッドの抜き取り追加ができるから、軸端の軸受を外して該軸端から回転軸にドリルヘッドの抜き取り追加する作業に比して、極めて簡易な作業で穴開けピッチの変更及び穴開け仕様に対応できる。このほか、回転軸を六角軸とした場合は、穴開け仕様に対応する作業がキー溝合わせなどに労することがないから軽微な作業となる。
【発明を実施するための最良の形態】
【０００６】
各個のドリルヘッドに回転力を伝達する回転軸は、丸軸でキーにより回転力を伝達するものから、六角軸などのキー不要な形態で回転力を伝達する。回転軸は一系統の伝達系統で駆動源により回転力を増減されて駆動されるものから、二系統の伝達系統で各個に回転力の増減別に駆動される。
【実施例】
【０００７】
本発明の多軸ドリル構造Ａを実施例により説明すると、図３に示すように、２０個のドリルヘッド１がアーム２を介して上下動する水平ガイド部材３にその外方垂直面に横向きで埋設されたキー４で案内されるとともに、Ｌ形の垂直辺を対向してドリルヘッド１のヘッドボックス９の上面にその水平辺が螺着される上部の止め金５と、ヘッドボックス９の内方垂直面にその水平辺の突端が螺着される下部の止め金６とにおいて、各垂直辺に螺合するボルト７で移動固定自在に位置決めされ、回転軸８は六角軸で各個のヘッドボックス９に挿通されるとともに、図１に示すように、その一端で回転自在に軸支された水平傘歯車１０のボスに貫設された六角孔に挿通され、水平傘歯車１０は垂直傘歯車１１に噛合し、垂直傘歯車１１にはドリルスピンドル１２がキー１３で接合され、ボルト１４で抜け止めされる。このドリルスピンドル１２はヘッドボックス９に内嵌接合された案内ボス１５において、その上下に配設された各軸受１６、１７に回転自在に軸支されて成る。
回転軸８は図２に示すように、２個のドリルヘッド１の総幅より長尺な間隔で手前側へ引抜きできる形状で分断された短尺軸１８が接合分離自在に連結されて成る。
【０００８】
このようにして成る多軸ドリル構造Ａは、図４に示すように、穴開け機Ｂの昇降フレーム１９のアーム２と一体の水平ガイド部材３に移動固定自在に案内され、回転力は昇降フレーム１９に取り付けられたモータ２０によりタイミングプーリ２１と噛合するタイミングベルト２２を介して中間軸２３のタイミングプーリ２４に伝達され、中間軸２３の軸端からタイミングプーリ（図外）と各タイミングプーリに噛合するタイミングベルト（図外）によって回転軸８に伝達され、各個のドリルヘッド１において、ドリルスピンドル１２の下端に軸着したチャック２５に所要のドリル２６が装着され、図５に示すように、所要の穴開けピッチＬで所要の排水孔Ｐを穴開けするが、暗渠排水用の塩ビ管（鋼管にも穴開け可）Ｐは、Ｖ字状の受け台２７に要所の押さえ金２８で押さえられるとともに、切粉（穿
孔切屑）の飛散を防止するカバー２９がレバー３０の操作で立ち上げられる。昇降フレーム１９の昇降ストロークは穴開けされる塩ビ管等の直径によって選択され、その動力は油圧ユニット３１から供給される油圧で作動する油圧シリンダー３２によるもので、架台３３に立設される案内軸３４はドリル２６に近い側の左右と、後方中央の３軸から成る。
【０００９】
次に、短尺軸１８の取り外し作業を説明すると、各ドリルヘッド１の上下の止め金５、６の各ボルト７を緩め、回転軸８上を左右に移動させて短尺軸１８を露出させ、短尺軸１８の両端の接合ボルト３５を抜いて短尺軸１８を回転軸８から分離状態に準備し、以下の要領でドリルヘッド１と水平ガイド部材３との係合状態を解き、然る後に短尺軸１８に２個のドリルヘッド１を係合した状態で回転軸８から短尺軸１８を外し、その開口部（分離個所）において所要のドリルヘッド１を回転軸８から外したり、挿入したりする。
すなわち、このドリルヘッドの取り付け、取り外しの際は、水平ガイド部材３からドリルヘッド１を着脱自在な状態にしなければならないから、上部の止め金５の水平辺をヘッドボックス９の上面に螺着したボルト５aを抜いて該上面から逆Ｌ形の止め金５を外し、下部のＬ形の止め金６ではヘッドボックス９の内方垂直面に該止め金６の水平辺突端を螺着したボルト６aを緩めて止め金６の垂直辺を下方に反転させ、止め金６を逆Ｌ状に垂下させてドリルヘッド１を水平に手前に引き抜くか、前記の状態で水平に押し込んでキー４に係合し、回転軸８に嵌合する。
ドリル２６による穴開け仕様に対しては、すなわち、その穴開けピッチＬに対しては図２に示すように、ドリルスピンドル１２の中心から各ヘッドボックス９の右端及び左端までの距離の合計Ｌ1＋Ｌ2であるから、穴開けピッチＬはこの合計に等しいかそれより大でなければならない。よって、与えられた穴開けピッチＬに対してＬ−（Ｌ1＋Ｌ2）＝Ｓとして算出される間隔Ｓなる治具棒（図外）が準備されて短尺軸１８が回転軸８に接合ボルト３５で接合され、所要の穴開けピッチＬで各ドリルヘッド１が順次に水平ガイド部材３に接合される。
前記の短尺軸１８の分断時には、分断された回転軸８は水平傘歯車１０によりヘッドボックス９を介して間接的に水平ガイド部材３に係止されるから不要なたわみを生ずることなく、確実な支持状態が保持される。
このように回転軸８は不安定な状態に曝されることなく、安定した状態でドリルヘッド１が回転軸８上に増減され、その穴開けピッチはその自由度を広範にして設定される。
【産業上の利用可能性】
【００１０】
本発明の多軸ドリル構造は、主として暗渠排水用の塩ビ管の穴開け用穴開け機に使用される。
【図面の簡単な説明】
【００１１】
【図１】本発明に係る多軸ドリル構造Ａの一部を縦断した部分正面図。
【図２】図１の部分平面図。
【図３】図１の右端の軸受部を除いた右側面図。
【図４】本発明の多軸ドリル構造Ａを用いた穴開け機Ｂの説明用右側面図。
【図５】塩ビ管Ｐの穴開けピッチＬを示した説明図。
【符号の説明】
【００１２】
１：ドリルヘッド
２：アーム
３：水平ガイド部材
４：キー
５、６：止め金
７：ボルト
８：回転軸
９：ヘッドボックス
１０：水平傘歯車
１１：垂直傘歯車
１２：ドリルスピンドル
１３：キー
１４：ボルト
１５：案内ボス
１６、１７：軸受
１８：短尺軸
１９：昇降フレーム
２０：モータ
２１、２４：タイミングプーリ
２２：タイミングベルト
２３：中間軸
２５：チャック
２６：ドリル
２７：受け台
２８：押さえ金
２９：カバー
３０：レバー
３１：油圧ユニット
３２：油圧シリンダー
３３：架台
３４：案内軸
３５：接合ボルト
Ａ：多軸ドリル構造
Ｂ：穴開け機
Ｐ：塩ビ管
Ｌ：穴開けピッチ
Ｓ：間隔
Ｐ：排水孔
【図１】
0004461083.tif 000002
【図２】
0004461083.tif 000003
【図３】
0004461083.tif 000004
【図４】
0004461083.tif 000005
【図５】
0004461083.tif 000006